(57)【特許請求の範囲】
【請求項１】
キャブの車幅方向中央の前部から中央にかけて前後方向に延びて設けられた中央主部(12a)とこの中央主部(12a)の後縁に連設された中央立上がり部(12b)とを有するセンタフロアパネル(12)と、
前縁中央が前記中央立上がり部(12b)の上縁に固着され車幅方向に延びて設けられたリヤフロアパネル(13)と、
車幅方向に延びて設けられ前縁が前記リヤフロアパネル(13)の前縁より前方に突出した状態で前記リヤフロアパネル(13)の上面に載置されたベッド(17)と
を備えたキャブであって、
前記中央立上がり部(12b)の車幅方向中央に凹部(12e)が形成され、
前記凹部(12e)に主ブラケット(18)を介して消火器(19)が横臥しかつ車幅方向の延びた状態で収容・固定され、
前記凹部(12e)に収容・固定された前記消火器(19)の外周面上縁が前記ベッド(17)の前縁下面と一致し、
前記消火器(19)が前記ベッド(17)の前縁中央下面を支持するように構成された
ことを特徴とするキャブ内の消火器によるベッド支持構造。
【請求項２】
キャブの車幅方向右側の前部から中央にかけて前後方向に延びて設けられた右側主部(14a)とこの右側主部(14a)の後縁に連設された右側立上がり部(14b)とを有し左側縁がセンタフロアパネル(12)の右側縁に固着され後縁がリヤフロアパネル(13)の前縁右側に固着された右側フロアパネル(14)と、
前記キャブの車幅方向左側の前部から中央にかけて前後方向に延びて設けられた左側主部(16a)とこの左側主部(16a)の後縁に連設された左側立上がり部(16b)とを有し右側縁が前記センタフロアパネル(12)の左側縁に固着され後縁が前記リヤフロアパネル(13)の前縁左側に固着された左側フロアパネル(16)と
を更に備え、
前記右側立上がり部(14b)に沿って或いは前記右側立上がり部(14b)から中央立上がり部(12b)にかけて車幅方向に延びかつ右側ブラケット(24)を介して固定された右側支持部材(23)が前記ベッド(17)の前縁右側下面を支持し、
前記左側立上がり部(16b)に沿って或いは前記左側立上がり部(16b)から中央立上がり部(12b)にかけて車幅方向に延びかつ左側ブラケット(27)を介して固定された左側支持部材(26)が前記ベッド(17)の前縁左側下面を支持するように構成された請求項１記載のキャブ内の消火器によるベッド支持構造。
【請求項３】
凹部(12e)の車幅方向の長さが中央立上がり部(12b)の車幅方向全幅に対して４５〜６０％に形成された請求項請求項１又は２記載のキャブ内の消火器によるベッド支持構造。
【発明の詳細な説明】
【０００１】
【発明の属する技術分野】
本発明は、トラック等の車両のキャブ内で、消火器によりベッドを支持する構造に関するものである。
【０００２】
【従来の技術】
従来、キャブ内に装備されたベッドの端部に消火器を装着可能な設置スペースが設けられ、この設置スペースの開口部を塞ぐとともに内面に消火器を覆うための溝部が形成された枕兼用の消火器カバーが提案されている（特開平８−２２５０３５号）。この枕兼用の消火器カバーでは、消火器が上記設置スペースの床上にブラケットを介して取付けられ、消火器カバーの表皮内にウレタンの芯地が充填される。
このように構成された枕兼用の消火器カバーでは、消火器が装着又は未装着であっても、消火器カバーの一端部をトリムルームに差込んだ後に、他端部をベッドの前端部に押込むことにより、消火器カバーをベッドの端部に挿着できるので、この消火器カバーを常時枕として使用できる。また消火器カバーにより消火器が覆われるので、車室内の見栄えを向上できるとともに、乗員のベッドでの仮眠時に頭部に消火器が接触するのを防止できるようになっている。
【０００３】
一方、キャブのフロアパネルとして、キャブの車幅方向中央にキャブの前部から後部にかけて設けられたセンタフロアパネルと、キャブの右側部にキャブの前部から後部にかけて設けられセンタフロアパネルの右側縁に固着された右側フロアパネルと、キャブの左側部にキャブの前部から後部にかけて設けられセンタフロアパネルの左側縁に固着された左側フロアパネルとを備えた３枚接合構造のフロアパネルが知られている。この３枚接合構造のフロアパネルでは、フロアパネルの後部にベッドと略同じ大きさの支持枠を介してベッドが載置され、右側フロアパネルと支持枠との間に消火器が収容される。ここで、フロア及びベッド間に支持枠を介装したのは、フロアパネルの後部を構成する右側フロアパネルの後部及び左側フロアパネルの後部がセンタフロアパネルの後部と高さが一致しないためである。
【０００４】
【発明が解決しようとする課題】
しかし、上記従来の特開平８−２２５０３５号公報に示された枕兼用の消火器カバーでは、乗員がベッドで仮眠する場合、寝る向きが決ってしまい、エアコン等の位置関係から反対向きに寝ようとすると、枕となる消火器カバーに足を載せなければならない不具合があった。
この不具合を解消するために、消火器を別の場所に設置すれば、ベッドを仮眠用スペースの全長（キャブの略全幅）にわたって平らに設置できるので、寝る向きを乗員の好みに合わせて変更できるけれども、消火器を設置するスペースを新たに設定しなければならず、消火器が邪魔になるおそれがあった。
一方、上記従来の３枚接合構造のフロアパネルでは、ベッドをキャブの略全幅にわたって平らに設置するために、比較的大きな支持枠を必要であり、ベッド関連部品の加工工数及び組付工数が増大する問題点があった。
【０００５】
本発明の目的は、ベッドでの寝る向きが限定されず、消火器が邪魔にならず、しかも消火器がベッドの一部を支持する役割を果す、キャブ内の消火器によるベッド支持構造を提供することにある。
本発明の別の目的は、ベッド関連部品の加工工数及び組付工数を増大させない、キャブ内の消火器によるベッド支持構造を提供することにある。
【０００６】
【課題を解決するための手段】
請求項１に係る発明は、図１及び図４に示すように、キャブの車幅方向中央の前部から中央にかけて前後方向に延びて設けられた中央主部１２ａとこの中央主部１２ａの後縁に連設された中央立上がり部１２ｂとを有するセンタフロアパネル１２と、前縁中央が中央立上がり部１２ｂの上縁に固着され車幅方向に延びて設けられたリヤフロアパネル１３と、車幅方向に延びて設けられ前縁がリヤフロアパネル１３の前縁より前方に突出した状態でリヤフロアパネル１３の上面に載置されたベッド１７とを備えたキャブであって、中央立上がり部１２ｂの車幅方向中央に凹部１２ｅが形成され、凹部１２ｅに主ブラケット１８を介して消火器１９が横臥しかつ車幅方向の延びた状態で収容・固定され、上記凹部１２ｅに収容・固定された消火器１９の外周面上縁がベッド１７の前縁下面と一致し、消火器１９がベッド１７の前縁中央下面を支持するように構成されたことを特徴とするキャブ内の消火器によるベッド支持構造である。
【０００７】
この請求項１に記載されたキャブ内の消火器によるベッド支持構造では、消火器１９が中央立上がり部１２ｂの凹部１２ｅに収容されるので、消火器１９は邪魔にならないばかりか、リヤフロアパネル１３の前縁から突出するベッド１７の前縁中央下面を支持するので、ベッド１７に偏った荷重が作用しても、ベッド１７は安定した状態に保たれる。またキャブの全幅にわたって略水平に形成されたリヤフロアパネル１３上に直接ベッド１７を載置できるので、従来のフロアパネル及びベッド間に介装された大型の支持枠を不要にできる。更にベッド１７がキャブの全幅にわたって略水平に形成されているので、乗員は好みに合わせベッド１７にどちら向きに寝ても何ら支障がない。
【０００８】
請求項２に係る発明は、請求項１に係る発明であって、更に図３及び図４に示すように、キャブの車幅方向右側の前部から中央にかけて前後方向に延びて設けられた右側主部１４ａとこの右側主部１４ａの後縁に連設された右側立上がり部１４ｂとを有し左側縁がセンタフロアパネル１２の右側縁に固着され後縁がリヤフロアパネル１３の前縁右側に固着された右側フロアパネル１４と、キャブの車幅方向左側の前部から中央にかけて前後方向に延びて設けられた左側主部１６ａとこの左側主部１６ａの後縁に連設された左側立上がり部１６ｂとを有し右側縁がセンタフロアパネル１２の左側縁に固着され後縁がリヤフロアパネル１３の前縁左側に固着された左側フロアパネル１６とを更に備え、右側立上がり部１４ｂに沿って或いは右側立上がり部１４ｂから中央立上がり部１２ｂにかけて車幅方向に延びかつ右側ブラケット２４を介して固定された右側支持部材２３がベッド１７の前縁右側下面を支持し、左側立上がり部１６ｂに沿って或いは左側立上がり部１６ｂから中央立上がり部１２ｂにかけて車幅方向に延びかつ左側ブラケット２７を介して固定された左側支持部材２６がベッド１７の前縁左側下面を支持するように構成されたことを特徴とする。
【０００９】
この請求項２に記載されたキャブ内の消火器によるベッド支持構造では、消火器１７がリヤフロアパネル１３の前縁から突出するベッド１７の前縁中央下面を支持し、右側支持部材２３がリヤフロアパネル１３の前縁から突出するベッド１７の前縁右側下面を支持し、更に左側支持部材２６がリヤフロアパネル１３の前縁から突出するベッド１７の前縁左側下面を支持するので、ベッド１７に偏った荷重が作用しても、ベッド１７は常に安定した状態に保たれる。
また凹部１２ｅの車幅方向の長さを中央立上がり部１２ｂの車幅方向全幅に対して４５〜６０％に形成されることが好ましい。
【００１０】
【発明の実施の形態】
次に本発明の実施の形態を図面に基づいて説明する。
図１〜図４に示すように、トラックのキャブの底部にはフロアパネル１１が設けられる。このフロアパネル１１は、車幅方向中央に設けられたセンタフロアパネル１２と、キャブの後部に車幅方向に延びて設けられたリヤフロアパネル１３と、車幅方向右側に設けられた右側フロアパネル１４と、車幅方向左側に設けられた左側フロアパネル１６とを備える（図４）。センタフロアパネル１２は、キャブの車幅方向中央の前部から中央にかけて前後方向に延びて設けられた中央主部１２ａと、この中央主部１２ａの後縁に連設された断面略く字状の中央立上がり部１２ｂとを有する（図１及び図４）。リヤフロアパネル１３は略水平に設けられ、その前縁中央は中央立上がり部１２ｂの上縁に連設された中央フランジ部１２ｃを介して中央立上がり部１２ｂの上縁にスポット溶接等により溶着（固着）される。またリヤフロアパネル１３には車幅方向に延びかつ上方に突出する複数の凸条１３ａが形成される。
【００１１】
右側フロアパネル１４は、キャブの車幅方向右側の前部から中央に前後方向に延びて設けられた右側主部１４ａと、この右側主部１４ａの後縁に連設された断面略く字状の右側立上がり部１４ｂとを有する。この右側フロアパネル１４の左側縁はセンタフロアパネル１２の右側縁にスポット溶接等により溶着（固着）され、後縁は右側立上がり部１４ｂの上縁に連設された右側フランジ部１４ｃを介してリヤフロアパネル１３の前縁右側にスポット溶接等により溶着（固着）される。また左側フロアパネル１６は、キャブの車幅方向左側の前部から中央にかけて前後方向に延びて設けられた左側主部１６ａと、この左側主部１６ａの後縁に連設された断面略く字状の左側立上がり部１６ｂとを有する。この左側フロアパネル１６の右側縁はセンタフロアパネル１２の左側縁にスポット溶接等により溶着（固着）され、後縁は左側立上がり部１６ｂの上縁に連設された左側フランジ部１６ｃを介してリヤフロアパネル１３の前縁左側にスポット溶接等により溶着（固着）される。なお、中央立上がり部１２ｂ、右側立上がり部１４ｂ及び左側立上がり部１６ｂには、略上下方向に延びる複数の凹条１２ｄ，１４ｄ，１６ｄがそれぞれ形成される。また右側主部１４ａ及び左側主部１６ａには、図示しないがトラックの前後方向に延びる複数の凹条や複数の凸条がそれぞれ形成される。
【００１２】
一方、リヤフロアパネル１３の上面にはベッド１７が載置される（図１〜図３）。このベッド１７は車幅方向に延び、かつ前縁がリヤフロアパネル１３の前縁より前方に突出した状態でリヤフロアパネル１３の上面に載置される。また中央立上がり部１２ｂの車幅方向中央には、凹部１２ｅが形成される。この凹部１２ｅの車幅方向の長さは中央立上がり部１２ｂの車幅方向全幅に対して４５〜６０％、好ましくは５０〜５５％に形成される。この凹部１２ｅには主ブラケット１８を介して消火器１９が横臥した状態で収容・固定される。即ち、主ブラケット１８は、凹部１２ｅ底面にボルト２１及びナット２２により固定される取付部１８ａと、取付部１８ａの一端に設けられ消火器１９の外周面を解放可能に保持するリング状のバンド１８ｂと、取付部１８ａの他端に設けられ消火器１９の底部に係止するフック１８ｃとを有する。上記のように横臥した状態で固定された消火器１９の外周面上縁はベッド１７の前縁下面と一致するように構成され、これにより消火器１９はベッド１７の前縁中央下面を支持するように構成される。なお、凹部１２ｅの長さを中央立上がり部１２ｂの車幅方向全幅に対して４５〜６０％の範囲に限定したのは、４５％未満では消火器１９を収容できず、６０％を越えるとフロアパネル１１の強度上の問題が発生するからである。
【００１３】
また右側立上がり部１４ｂから中央立上がり部１２ｂにかけてパイプ状の右側支持部材２３が車幅方向に延びて設けられ、この右側支持部材２３は２組の右側ブラケット２４を介して右側立上がり部１４ｂ及び中央立上がり部１２ｂにそれぞれ固定される（図３及び図４）。左側立上がり部１６ｂから中央立上がり部１２ｂにかけてパイプ状の左側支持部材２６が車幅方向に延びて設けられ、この左側支持部材２６は２組の左側ブラケット２７を介して左側立上がり部１６ｂ及び中央立上がり部１２ｂにそれぞれ固定される。
【００１４】
２組の右側ブラケット２４はそれぞれ同一形状に形成されるため、右側支持部材２３を右側立上がり部１４ｂに固定する右側ブラケット２４を代表して説明し（図３）、右側支持部材２３を中央立上がり部１２ｂに固定する右側ブラケットの説明を省略する。右側ブラケット２４は、右側立上がり部１４ｂに溶着されフラットバーを略く字状に折曲げることにより形成された右側ロア部２４ａと、右側ロア部２４ａの上面にボルト２４ｂ及びナット２４ｃにより固定され右側支持部材２３を保持するように右側支持部材２３に溶着されたチャンネル状の右側アッパ部２４ｄとを有する。
【００１５】
また２組の左側ブラケット２７もそれぞれ同一形状に形成されるため、左側支持部材２６を左側立上がり部１６ｂに固定する左側ブラケット２７を代表して説明し（図３）、左側支持部材２６を中央立上がり部１２ｂに固定する左側ブラケットの説明を省略する。左側ブラケット２７は、左側立上がり部１６ｂに溶着されフラットバーを略く字状に折曲げることにより形成された左側ロア部２７ａと、左側ロア部２７ａの上面にボルト２７ｂ及びナット２７ｃにより固定され左側支持部材２６を保持するように左側支持部材２６に溶着されたチャンネル状の左側アッパ部２７ｄとを有する。上記のように固定された右側支持部材２３及び左側支持部材２６の外周面上縁はベッド１７の前縁下面と一致するようにそれぞれ構成され、これにより右側支持部材２３及び左側支持部材２６はベッド１７の前縁右側下面及びベッド１７の前縁左側下面をそれぞれ支持するように構成される。
【００１６】
このように構成された消火器によるベッド支持構造の動作を説明する。
消火器１９はセンタフロアパネル１２の中央立上がり部１２ｂに形成された凹部１２ｅに収容されるので、消火器１９が乗員の座席からベッド１７への移動時やベッド１７から座席への移動時の邪魔にならない。この消火器１９はリヤフロアパネル１３の前縁から突出するベッド１７の前縁中央下面を支持し、右側支持部材２３はリヤフロアパネル１３の前縁から突出するベッド１７の前縁右側下面を支持し、更に左側支持部材２６はリヤフロアパネル１３の前縁から突出するベッド１７の前縁左側下面を支持するので、乗員がベッド１７上を移動等してベッド１７に偏った荷重が作用しても、ベッド１７は常に安定した状態に保たれる。
【００１７】
またリヤフロアパネル１３がキャブの全幅にわたって略水平に形成されているため、ベッド１７を直接リヤフロアパネル１３上に載置できる。このため、従来のフロアパネル及びベッド間に介装された大型の支持枠を不要にできるので、ベッド関連部品の加工工数及び組付工数を低減できるとともに、ベッド１７もキャブの全幅にわたって略水平に形成されているため、乗員は好みに合わせてどちら向きに寝ても何ら支障がない。
更に火災が発生したときには、主ブラケット１８のバンド１８ｂを外すことにより消火器１９が解放されるので、この消火器１９を用いて速やかに消火活動を行うことができる。
【００１８】
なお、上記実施の形態では、車幅方向に延びる右側支持部材を右側立上がり部から中央立上がり部にかけて右側立上がり部及び中央立上がり部にそれぞれ固定し、車幅方向に延びる左側支持部材を左側立上がり部から中央立上がり部にかけて左側立上がり部及び中央立上がり部にそれぞれ固定したが、車幅方向に延びる右側支持部材を右側立上がり部のみに沿って右側立上がり部のみに固定し、車幅方向に延びる左側支持部材を左側立上がり部のみに沿って左側立上がり部のみに固定してもよい。
【００１９】
【発明の効果】
以上述べたように、本発明によれば、センタフロアパネルの中央立上がり部の車幅方向中央に凹部を形成し、この凹部に主ブラケットを介して消火器を収容・固定したので、消火器によりベッドの前縁中央下面が支持される。この結果、ベッドに偏った荷重が作用しても、ベッドは安定した状態に保たれる。またキャブの全幅にわたって略水平に形成されたリヤフロアパネル上に直接ベッドを載置できるので、従来の大型の支持枠を不要にできるとともに、ベッドがキャブの全幅にわたって略水平に形成されているので、乗員は好みに合わせベッドにどちら向きに寝ても何ら支障がない。
【００２０】
また右側フロアパネルの右側立上がり部等に沿って車幅方向に延びる右側支持部材を右側ブラケットを介して右側立上がり部等に固定し、左側フロアパネルの左側立上がり部等に沿って車幅方向に延びる左側支持部材を左側ブラケットを介して左側立上がり部等に固定すれば、消火器がベッドの前縁中央下面を支持するとともに、右側支持部材がベッドの前縁右側下面を支持し、左側支持部材がベッドの前縁左側下面を支持する。この結果、ベッドに偏った荷重が作用しても、ベッドは常に安定した状態に保たれる。
【図面の簡単な説明】
【図１】本発明実施形態の消火器によるベッド支持構造を示す図４のＡ−Ａ線断面図。
【図２】図１のＢ−Ｂ線断面図。
【図３】図４のＣ−Ｃ線断面図。
【図４】凹部を含むフロアパネルの斜視図。
【符号の説明】
１２  センタフロアパネル
１２ａ  中央主部
１２ｂ  中央立上がり部
１２ｅ  凹部
１３  リヤフロアパネル
１４  右側フロアパネル
１４ａ  右側主部
１４ｂ  右側立上がり部
１６  左側フロアパネル
１６ａ  左側主部
１６ｂ  左側立上がり部
１７  ベッド
１８  主ブラケット
１９  消火器
２３  右側支持部材
２４  右側ブラケット
２６  左側支持部材
２７  左側ブラケット
【図１】
0003986281.tif 000002
【図２】
0003986281.tif 000003
【図３】
0003986281.tif 000004
【図４】
0003986281.tif 000005